(57)【要約】      （修正有）【課題】ユーザの操作工程を簡略化すると共にユーザが正しく据え付けて更に最善のセッティングを見すのに役立つことを目的とする、マルチメディア装置の機器セッティングの自動設定のためのシステム及びその方法を提供する。【解決手段】複数の接続済み端子の中で自動的に切替えて設定をセッティングすることによって、利用可能な出力モードの全てが、ユーザにマルチメディア情報を示すべく使用される。ユーザは、最も完全な出力品質を有する一つの設定を選択し、それから、その選択された設定及び関連付けられた接続済み端子の下でマルチメディア装置を動作させるようにセッティングすることが可能である。その装置を不正確に接続し或はセッティングすることが効果的に回避され得るので、ユーザは何が誤っているのかと思うことなく、又はマルチメディア装置が機能不全であるということさえ考えずに済む。【選択図】なし【特許請求の範囲】
【請求項１】
機器セッティングのための自動設定の方法であって、
第一の電気機器が当該第一の電気機器の少なくとも一つの端子セットによって第二の電気機器と電気的に接続されており、前記第一の電気機器における機器セッティングのための自動設定を始動する工程と、
反復的に、各期間毎に前記端子セットの内の一つを選択すると共に前記選択された端子セットの設定をセッティングし、前記第一の電気機器及び前記第二の電気機器の間に電気的信号を前記選択された端子セットを通じて伝送し、次いでその設定に従ってマルチメディア情報を表示する工程と、
前記選択する工程と前記表示する工程とを停止制御信号が送信されるまで反復する工程と、
を含む方法。
【請求項２】
前記機器セッティングのための自動設定を始動する工程が制御信号に従って始動され、前記制御信号が前記第一の電気機器の外部信号ソースをトリガーすることによって生成される、請求項１記載の機器セッティングのための自動設定の方法。
【請求項３】
前記電気的信号が、ビデオ信号、オーディオ信号、制御信号、並びに、情報信号を含む、請求項１記載の機器セッティングのための自動設定の方法。
【請求項４】
前記選択する工程がある順番で前記端子セットを一つずつ非反復的に選択することによって実行される、請求項１記載の機器セッティングのための自動設定の方法。
【請求項５】
前記端子セットの内の一つを選択する工程が、前記端子セットの全てを選択した後にその第一の端子セットから再び始動する、請求項４記載の機器セッティングのための自動設定の方法。
【請求項６】
予めセットした回数だけ前記端子セットを選択した後に自動的に停止するために、機器セッティングのための自動設定を自動的に停止する工程を更に含む、請求項１記載の機器セッティングのための自動設定の方法。
【請求項７】
機器セッティングのための自動設定を自動的に停止した後にセッティングした設定を記憶する工程を更に含み、そして、前記セッティングされて記憶された設定の端子セットの次の前記端子セットが、前記機器のための自動設定が次に始動された際に選択される、請求項６記載の機器セッティングのための自動設定の方法。
【請求項８】
前記選択された端子セットに対してマルチメディア情報を再生する工程を更に含む、請求項１記載の機器セッティングのための自動設定の方法。
【請求項９】
接続済みの端子セットだけを反復的に選択するために、前記端子セットの内の一つを反復的に選択する前に、すでに接続されている前記端子セットを自動的に検出する工程を更に含む、請求項１記載の機器セッティングのための自動設定の方法。
【請求項１０】
前記第一の電気機器がＤＶＤ／ビデオＣＤプレイヤーであり、前記第二の電気機器がディスプレイ装置である、請求項１記載の機器セッティングのための自動設定の方法。
【請求項１１】
マルチメディア装置の機器セッティングのための自動設定のシステムであって、
前記マルチメディア装置をディスプレイ装置と電気的に接続するための少なくとも一つの端子セットと、
始動制御信号を受信した後、予めセットされた期間毎に前記複数の端子セットの内の一つを反復的に選択するための選択手段と、
前記選択された端子セットの設定をセッティングして、前記マルチメディア装置及び前記ディスプレイ装置の間に前記選択された端子セットを通じて電気的信号を伝送するための切替え手段と、
を備えるシステム。
【請求項１２】
前記選択する動作がある順番で前記端子セットを一つずつ非反復的に選択することによって実行される、請求項１１記載の機器セッティングのための自動設定のシステム。
【請求項１３】
前記電気的信号が、ビデオ信号、オーディオ信号、制御信号、並びに、情報信号を含む、請求項１１記載の機器セッティングのための自動設定のシステム。
【請求項１４】
停止制御信号を前記マルチメディア装置に送信するための停止スイッチを更に備え、前記選択する動作が、前記停止制御信号が受信された後に停止される、請求項１１記載の機器セッティングのための自動設定のシステム。
【請求項１５】
予めセットされた回数だけ前記複数の端子セットが選択された後、前記停止制御信号が送出される、請求項１４記載の機器セッティングのための自動設定のシステム。
【請求項１６】
予めセットされた回数だけ前記複数の端子セットの各々を選択した後、前記停止制御信号が送出される、請求項１４記載の機器セッティングのための自動設定のシステム。
【請求項１７】
前記停止制御信号が受信された後、前記選択された接続済み端子セットの前記選択結果を受信して記憶するために使用される設定記憶手段を更に備え、そして、前記機器セッティングのための自動設定が次に始動された際に、前記設定が、前記選択された接続済み端子セットの次の接続済み端子セットから始動される、請求項１３記載の機器セッティングのための自動設定のシステム。
【請求項１８】
前記端子セットの各々が、当該端子セットが接続されたことについて前記選択手段に知らせるために使用されると共に前記接続済み端子セットを反復的に選択するために使用される接続センサを更に含む、請求項１１記載の機器セッティングのための自動設定のシステム。
【発明の詳細な説明】
【技術分野】
【０００１】
本発明は、一般にはオーディオ／ビデオ機器の据え付け及びセッティングに関し、そして、本発明は、特にユーザのためのオーディオ／ビデオ機器の入力／出力端子セットの設定に関する。
【背景技術】
【０００２】
今日、オーディオ／ビデオ機器の機能はより複雑になり、そしてオーディオ／ビデオ機器の仕様も益々変化に富んできている。様々なユーザのためにより互換性があって可変的な機能を提供するため、オーディオ／ビデオ機器は常に数多くの様々な種類の入力／出力端子セットを伴って具現化されている。オーディオ／ビデオ機器のこうした入力／出力端子セットは１つから多数の端子セットまで配列されて、それらをあらゆる種類の仕様に適合させ、それによってこれら入力／出力端子セットのコネクタは様々な形状を有し得る。ある種の仕様に適合された端子セットは、様々な形状を持つ様々なコネクタを有し得、そして、トランスミッタは、信号がその仕様によって転送される際に様々なコネクタを持つレシーバと接続することができる。オーディオ／ビデオ機器が多数の端子セットを有する場合、その機器は、入力或は出力の設定（configurations）をセッティングするためにユーザが一つの端子セットを選択する方法を提供する。しかしながら、数多くのユーザが関連する知識を有せず且つ正しい接続及び設定をどのようにして完成すべきかを知らないので、ユーザは、しばしば、オーディオ／ビデオ機器を据え付けようと試みる際に自己の努力を浪費する。これは、誤った接続、或は正しい接続ではあるが誤った設定のようなある種の状況に導くこととなり、それらは、ユーザが間違いの根本原因をどのように判断するかを知らないという特別な状況にユーザを至らせる。ユーザはオーディオ／ビデオ機器が機能不全であると誤解さえし得る。
【０００３】
図１に示すように、それは、Ｓ-ビデオ端子セット、ＣＶＢＳ端子セット、コンポーネント端子セット、並びに、プログレッシブ端子セットとして規定され得る数多くの端子セットを有するＤＶＤ／ビデオＣＤプレイヤーの背面パネルを示している。プログレッシブ・モニタのコネクタはプログレッシブ端子セットと接続されるけれども、もしこの時、その設定がコンポーネントにセッティングされたならば、ユーザは正しいオーディオ／ビデオ出力を受信することなく、そして、多分、何をすべきかが分からない。この時、もしユーザがその設定を切替えようとするならば、ユーザはその設定がプログレッシブに切替えられたときに、正しいオーディオ／ビデオ出力を得ることになる。
【０００４】
図２及び図３で参照される先行技術において、より経験があるユーザは、しばしば、二つの方法でオーディオ／ビデオ機器の正しい設定を見出す。設定をセッティングする第一の方法は、図２に示される如くである。接続ブロック２１に示されるように、ユーザはトランスミッタ（即ち、図１に示されるＤＶＤ／ビデオＣＤプレイヤー）の端子セットをレシーバ（即ち、図１に示されたプログレッシブ・モニタ）の端子セットに接続する。次に、ユーザはオーディオ／ビデオ機器の設定をセッティングし（セッティングブロック２２に示されるように）、それからユーザはレシーバのその端子セットが正しいオーディオ／ビデオ出力を得ているか否かを調べて確かめる（確認ブロック２３に示されるように）。もしイエスであれば、それは正しく、しかしながらもしユーザが正しいオーディオ／ビデオ出力を得ることができなければ、ユーザは他の設定に順次変更してそれらが正しい設定に切り替わることができるかを調べる。もしユーザがまだ正しい出力を得ることができなければ、ユーザは複数の端子セットの間で別の接続に変更して、上述したステップを再び繰り返さなければならない。設定をセッティングする第二の方法は、図３に示される如くである。接続ブロック３１に示されるように、ユーザはトランスミッタのできる限り多くの端子セットをレシーバの端子セットに接続する。次に、ユーザは、セッティングブロック３２に示されるようにオーディオ／ビデオ機器の設定の内の一つをセッティングし、それから、レシーバのその端子セットが正しいオーディオ／ビデオ出力を得ることができるか否かを調べて確かめる（確認ブロック３３に示されるように）。もしユーザが正しい出力を得ることができなければ、ユーザは、別の設定に変更し、正しいオーディオ／ビデオ出力を得るまで上述したステップを繰り返さなければならない。上述した二つの方法を採用することによって、通常、ユーザを困惑させるのは、ある端子（或はある設定）がすでに試されたか否かということである。従って、しばしば、それはユーザを苛立てさせ、そして、しばしばオーディオ／ビデオ機器の据え付けマニュアルはユーザが理解するにはあまりも複雑過ぎるか或はあまりにも単純過ぎる。
【発明の開示】
【発明が解決しようとする課題】
【０００５】
従って、ユーザが正しい設定を容易にセッティングするのに役立つ方法を提供する必要がある。本発明は、ユーザの操作工程を簡略化すると共にユーザが正しく据え付けて更に最善のセッティングを見出すのに役立つことを目的とする、機器セッティングの自動設定のためのシステム及び方法を提供する。
【０００６】
［発明の要約］
本発明の一つの主要な目的は、機器セッティングのための自動設定の、より簡単で且つより実用的な方法及びシステムをユーザに提供することである。
【０００７】
本発明の別の目的は、設定の漸進的な切替えの機構を含む機器セッティングのための自動設定の方法及びシステムを提供することであり、そして、それはユーザにとっては様々な出力モードから最善の出力モードを選択するために使用される。
【課題を解決するための手段】
【０００８】
本発明による機器セッティングのための自動設定の方法は、少なくとも一つの端子セットを有する電気機器の端子を別の電気機器の端子と電気的に接続するために使用される。次に、機器セッティングのための自動設定を外部手段によって始動し、それから、各期間毎に電気機器の一つの端子セットを選択してその電気機器の選択された端子セットの設定をセッティングする。こうして、それは、二つの電気機器の間に電気的信号が伝送されるようにすることができる。次に、機器セッティングのための自動設定のシステムは、当該システムがユーザによって停止されるまで、反復的に、電気機器の一つの端子セットを選択してその電気機器の選択された端子セットの設定を切替える。本発明の好適実施例において、選択されることになる複数の端子セットは接続された複数の端子セットのみに限定され得る。尚、電気機器の選択された端子セットの設定は記憶されることができ、そして、その設定は、システムが次に始動されたときにその次に選択される端子セットで始動されることになる。
【０００９】
本発明の好適実施例による機器セッティングのための自動設定のシステムは、第一の電気機器を第二の電気機器に電気的に接続するように構成された少なくとも一つの端子セットと、制御信号ソースに従って始動制御信号を第一の電気機器に送出するように構成された始動スイッチと、その制御信号ソースに従って停止制御信号を第一の電気機器に送出するように構成された停止スイッチと、その始動制御信号の受信後に、予めセットされた期間毎に端子セットの内の一つを反復的に選択するように構成された選択手段と、その選択された端子セットの設定をセッティングして、第一の電気機器及び第二の電気機器の間に電気的信号をその選択された端子セットを通じて伝送するように構成されたマルチプレクサと、を含む。
【００１０】
本発明は、先行技術より優れた数多くの長所を有し、この点では、上述したシステム及び方法によって複数の端子セットの設定及びセッティングに関してユーザを案内することができる。たとえユーザがオーディオ／ビデオ機器を理解しておらず、オーディオ／ビデオ機器がうまく機能しないこと或は複雑な手続きに規制されていることを恐れ、その結果、正しい端子セットに接続することやこれら機器の正しい設定をセッティングすることに失敗したとしても、そうである。それによって、ユーザにとって最良のオーディオ／ビデオ出力が見出される。
【００１１】
本発明の特徴及び長所は、以下に記載されると共に特許請求の範囲に含まれる。
【００１２】
［図面の簡単な説明］
本発明の上述した側面やその付随する多くの長所は、添付図面と連携して理解されるときに、以下の詳細な説明を参照してより良好に理解されるようになるにつれて、より容易に正しく理解されるようになるであろう。ここで、図１は先行技術の概略例であり、図２は先行技術の一つの実例チャートであり、図３は先行技術の他の実例チャートであり、図４−Ａから図４−Ｃまでは本発明の一好適実施例の実例チャートを概略的に示しており、そして、図５−Ａから図５−Ｄまでは本発明の他の好適実施例の実例チャートを概略的に示している。
【発明を実施するための最良の形態】
【００１３】
以下、本発明の幾つかの実施例が効果的に記載されている。その上、本発明はまた他の実施例において広範囲に実行され得る。換言すれば、本発明の範囲は提案された実施例によって制限されるべきでない。本発明の範囲は提案された特許請求の範囲に基づくべきである。
【００１４】
それから、様々な要素のコンポーネントは同尺で示されていない。関連付けられたコンポーネントの幾つかの寸法は誇張されており、無意味な部分は本発明のより明確な記載及び理解を提供するため描かれていない。
【００１５】
その上、本開示において、用語「一つ」或は「ある」とは単一及び複数の双方を含むべく理解されるべきである。逆に、複数事物の言及は、適切である場合には、単一事物を含む。
【００１６】
本発明の一つの好適実施例は、図４−Ａに示されるように機器セッティングのための自動設定の方法であり、そして、その方法は少なくとも以下の基本ステップを含む。
【００１７】
ユーザは、接続ブロック４１に示されるようにコネクタを端子セットに接続し、そして、一つの端子セット或はできる限り全ての端子セットが接続され得る。ここでの主な目的は、トランスミッタ及びレシーバの間の接続を確立することである。この接続は、コネクタによる入力端子及び出力端子の間の接続だけを含むのではなく、赤外線或はブルートゥース（Ｂｌｕｅｔｏｏｔｈ）技術によって達成され得るワイヤレス方法による接続をも含む。
【００１８】
ユーザは、始動ブロック４２に示されるように機器セッティングのための自動設定を始動させ、そして、自動設定を始動させる方法は始動制御信号を生成するための始動制御信号のソースをトリガーすることである。このトリガー方法について言えば、それは、ユーザによってオーディオ／ビデオ機器上に提供された始動ボタンを押圧すること、遠隔制御手段を用いること、音声により命令することが可能である。本実施例は、始動方式を実行する方法についてのこれらの事項を限定しない。
【００１９】
始動制御信号を受信すると、選択ブロック４３に示されるように、複数の端子セットの内の一つを選択して、その選択された端子セットの設定をセッティングする動作を、オーディオ／ビデオ機器が停止制御信号を受信するまで、各期間毎（例えば、５秒或は１０秒毎）に反復的に実行する。一つの端子セットの設定をセッティングすると、オーディオ／ビデオ機器がその端子セットを通じてディスプレイ手段へ電気的信号を送信する。端子セットを選択する基本原則は、ある順番で端子セットを非反復的に選択することにある、即ち、関連付けられた設定を伴う端子セットはその順番の下では一回だけ表示するために選択される。端子セットの全てが選択された後、この選択するステップはその順番の中の第一の端子セットから再度始動する。尚、上述した電気的信号は、以下の信号、すなわち、オーディオ信号、ビデオ信号、制御信号、情報信号、並びに、これら信号の任意の組み合わせ信号を含む。
【００２０】
ユーザは停止ブロック４４に示されるように機器セッティングのための自動設定を停止する、停止制御信号の方法は、（それは始動ブロック４２に示される方法と同様である）、オーディオ／ビデオ機器上に提供された始動ボタンを押圧すること、遠隔制御手段を用いること、或は、音声により命令することのように、停止制御信号のソースをトリガーすることによって達成され得る。本実施例は、始動方式を実行する方法についてのこれらの事項を限定しない。ここで、ユーザは、正しい画像を見たり或は正しい音声を聞いたりしたときに、停止制御信号のソースをトリガーすることができる、即ち、ユーザはディスプレイ及びスピーカを介してオーディオ／ビデオ機器によって表現されるオーディオ／ビデオ情報を受け取ることが可能である。また、ユーザは、最良画像を見たり或は最良音声を聞いたりしたときに、停止制御信号のソースをトリガーすることもできる。加えて、停止制御信号の方法は自動的に引き起こされることもでき、そして、それは、端子セットの選択についての予めセットされた回数の後に停止されるようにすることができる。更に、その予めセットされた回数は複数の端子セットを選択するための特定の回数（一回或は複数回）であることができ、それは、複数の端子セットの各々を一回或は複数回だけ選択するために複数の端子セットの総数や複数の端子セットの総数の倍数でもあり得る。
【００２１】
次に、図４−Ａを参照すると、ユーザがマルチメディア装置とディスプレイ手段との間にケーブルラインを接続すると（即ち、ブロック４１で述べられた動作）、ユーザは遠隔制御の自動設定を始動するボタンを押圧することによって始動制御信号をマルチメディア装置へ伝送することができる（即ち、ブロック４２で述べられた動作）。次いで、マルチメディア装置は、マルチメディア情報をディスプレイ手段上で再生するための設定として第一の端子セットを選択する。マルチメディア情報をユーザのために５〜１０秒間、再生した後、マルチメディア装置は次の端子セットに切替えてから、その端子セットに従った設定をセッティングして、その後、マルチメディア装置はその設定に従ってユーザのためにマルチメディア情報を出力する（即ち、ブロック４３で述べられた動作）。最後に、自動切替え及び自動設定の動作は、設定を停止するためのボタンが押圧されなければ、端子セットの選択についての予めセットされた回数の後に停止することになる。ユーザは、正しいマルチメディア情報を確認するとすぐに遠隔制御によってその設定を停止するためのボタンを押圧でき、マルチメディア装置は現時の設定に従って設定の動作を実行することなる（即ち、ブロック４４で述べられた動作）。勿論、ユーザは各端子セットに応じて再生されたマルチメディア品質の全てを確認した後、複数の端子セットの内の一つを決定することができる。例えば、全ての端子セットを切替えた後に確認して、ユーザは、最良の再生品質を伴うものを選択し、そして、マルチメディア装置が次に切替えられる際にその設定をセッティングすることができる。
【００２２】
ユーザは、図４−Ｂの停止ブロック４３１に示されるように機器セッティングのための自動設定を停止するための停止制御信号をトリガーする。機器セッティングのための自動設定の手段を利用する上での便宜上、記憶ブロック４３２に示されるようにユーザが停止制御信号をトリガーした後、機器セッティングのための自動設定の手段はこのときの設定を記憶することができる。次回、ユーザは、その時に記憶された設定の次の設定から機器セッティングのための自動設定を始動することができる。即ち、記憶された設定は停止する前の最新の端子セットとしてセッティングされている。より良好な選択を求めるため、マルチメディア装置は、始動制御信号が再びトリガーされたときにその次の端子セットに切替えることができる。こうして、このことは、第一の端子セットから毎回始動するためにユーザがその再生するマルチメディア情報を見たり或は聞いたりすることができる第一の端子セットを唯一の選択として考えることを防止することができる。
【００２３】
端子セットの選択のプロセスを速めるために、選択される複数の端子セットの範囲は接続済みの複数の端子セットの範囲内に限定されることができ、これは複数の未接続端子セットに費やされる時間を節約することができる。図４−Ｃを参照すると、図４−Ａの元の選択ブロック４３が以下のように更に変更され得る。まず、検出ブロック４３３に示されるように、機器セッティングのための自動設定の手段は接続済み端子セットの全てを検出する。次いで、選択ブロック４３４に示されるように、その手段は、一つの接続済み端子セットを選択してその選択された端子セットの設定をセッティングする動作を、その手段が停止されるまで各期間毎に反復的に実行する。ここで強調されるべきことは、端子セットを選択する基本原則が、非反復的に且つ逐次的に、自動設定手段によって検出された端子セットから一つの接続済み端子セットを選択するということである。接続済み端子セットの全てを選択した後は、その選択はその順番の第一の端子セットから再び始動する。加えて、停止制御信号の方法は自動的に引き起こされ、そして、その選択は接続済み端子セットについての選択の予めセットされた回数の後に停止され得る。ここで、この予めセットされた回数は複数の端子セットを選択するための特定の回数（一回或は複数回）であることができ、それは、複数の端子セットの各々を一回或は複数回だけ選択するために複数の端子セットの総数や複数の端子セットの総数の倍数でもあり得る。図４−Ｂの停止ブロック４３１に示されるように、機器セッティングのための自動設定の手段を利用する上での便宜上、記憶ブロック４３２に示されるようにユーザが停止制御信号をトリガーした後、機器セッティングのための自動設定の手段はこのときの設定を記憶することができる。次回、ユーザは、その時に記憶された設定の次の設定から機器セッティングのための自動設定を始動することができる。即ち、記憶された設定は停止する前の最新の端子セットとしてセッティングされている。より良好な選択を求めるため、マルチメディア装置は、始動制御信号が再びトリガーされたときにその次の端子セットに切替えることができる。こうして、このことは、第一の端子から毎回始動するために第一の端子セットが唯一の選択であるとユーザが考えることを回避することができる。
【００２４】
例えば、ユーザがマルチメディア装置及びディスプレイ手段をコンポーネント信号及びプログレッシブ信号の端子セットに接続すると（即ち、ブロック４１で述べられた動作）、ユーザは、遠隔制御の自動設定を始動するボタンを押圧することによって始動制御信号をマルチメディア装置に伝送することができる（即ち、ブロック４２で述べられた動作）。次いで、マルチメディア装置は、マルチメディア情報をディスプレイ手段上で再生するための設定として第一の接続済み端子セット（この時、それはコンポーネント信号の端子セットである）を選択する。マルチメディア情報をユーザのために５〜１０秒間、再生した後、マルチメディア装置は次の端子セットに切替えて（この時、それはプログレッシブ信号の端子セットである）、それに従った設定をセッティングし、そして、その後、マルチメディア装置はその設定に従ってユーザのためにマルチメディア情報を出力する（即ち、ブロック４３で述べられた動作）。最後に、自動切替え及び自動設定の動作は、設定を停止するボタンが押圧されなければ、端子セットの選択についての予めセットされた回数の後に停止する。ユーザは、正しいマルチメディア情報を確認するとすぐに遠隔制御の設定を停止するためのボタンを押圧でき、マルチメディア装置は現時の設定に従って設定の動作を実行することなる（即ち、ブロック４４で述べられた動作）。勿論、ユーザは各端子セットに応じて再生されたマルチメディア品質の全てを確認した後、複数の端子セットの内の一つを決定することができる。例えば、全ての端子セットを切替えた後に確認して、ユーザは、最良の再生品質を伴うものを選択し、そして、マルチメディア装置が次に切替えられる際にその設定をセッティングすることができる。
【００２５】
本発明の別の好適実施例は、図５−Ａに示されるような機器セッティングのための自動設定のシステムであり、各種制御信号を始動するために使用される制御信号のソースである始動スイッチ５１と、各種制御信号を停止するために使用される制御信号のソースである停止スイッチ５２と、他の外部の電気機器を接続するために使用される複数の端子セット５３と、始動制御信号の受信後に予めセットされた期間毎にそれら端子セットから一つの端子セットを逐次選択してからその選択結果を送信するために使用される選択手段５４との諸手段を含み、上記始動スイッチ及び上記停止スイッチはマルチメディア装置の全システムを始動或は停止するための外部トリガーを受ける部品である（それは、ボタン、ブルートゥース手段、赤外線手段、並びに、音声手段であることができ、ここではそれらは限定されない）。ここで、選択動作は停止制御信号を受信した後に停止され、そして、マルチプレクサ５５は、上記選択結果に従って二つの電気機器の間に電気的信号を伝送するために使用される。
【００２６】
端子セットの設定をセッティングし且つオーディオ／ビデオ機器がレシーバである場合、それはトランスミッタからその端子セットを通じて電気的信号を受信することになる。そして、もしオーディオ／ビデオ機器がトランスミッタであれば、それはその端子セットによって電気的信号を送出することになる。
【００２７】
加えて、始動スイッチ及び停止スイッチは制御手段に集約され得る。例えば、制御手段は二重状態スイッチであることができ、その二重状態スイッチが「オン」に切り替わると、それは始動制御信号を送出することになる。他方、二重状態スイッチが「オフ」に切り替わると、それは停止制御信号を送出することになる。尚、この実施例はスイッチの形態を限定していないので、制御手段も上述した始動スイッチ及び停止スイッチに集約され得る。
【００２８】
図５−Ｂに示されるように、機器セッティングのための自動設定の手段を利用する便宜上、機器セッティングのための自動設定の手段は、選択手段５４によって送出された選択結果を記憶するための設定記憶手段６１によって具現化されることができる。そして、次回、ユーザはその時に記憶された設定の次の設定から選択するように機器セッティングのための自動設定を始動することができる。その間に、マルチプレクサ５５は、電気的信号をその選択された端子セットを通じて二つの電気機器の間に送って、設定記憶手段６１によって記憶された選択結果を伝えることになる。
【００２９】
端子セットの選択のプロセスを速めるために、選択される端子セットの範囲は、図５−Ｃに示されるように接続された複数の端子セットの範囲内に限定されることができる。その目的は接続センサ７３１を各端子セット７３に追加することによって達成可能であり、その接続センサ７３１は、接続された端子セットの全てを検出して、その結果を選択手段５４に送出するために使用される。ここで、端子セットを選択する基本原則は、その手段によって検出された接続済み端子セットから一つずつある順番で非反復的に選択することである。接続済み端子セットの全てを選択した後は、その選択はその順番の第一の端子セットから再び始動する。尚、次回、ユーザは、その時に記憶された設定の次の設定から機器セッティングのための自動設定を始動することができる。加えて、停止制御信号の方法は自動的に引き起こされ、そして、その選択は接続済み端子セットについての選択に対する予めセットされた回数の後に停止されることができる。更に、この予めセットされた回数は複数の端子セットを選択するための特定の回数（一回或は複数回）であることができ、それは、複数の端子セットの各々を一回或は複数回だけ選択するために複数の端子セットの総数や複数の端子セットの総数の倍数でもあり得る。
【００３０】
図５−Ｄに関しては、それは、図５−Ａから図５−Ｃまでが組み合わせられた実例チャートである。
【００３１】
本発明の実施例によれば、ユーザはまずコネクタを一つの端子セットに接続し、それからトランスミッタ及びレシーバの双方の自動設定を始動することができる。これは、その接続が正しいか否かを判断する上で非常に便利である。そして、ユーザは、最良の出力を見出すために可能な接続の各々を一つずつ実行することができる。これは、二つのオーディオ／ビデオ機器の端子間の接続が様々な接続法で行われることがあり得、正確であったり不正確であったりするためであり、こうして、我々は、できる限り全ての接続を試みた後に単一或は多数の出力を得て、その後、それらから最良の接続を選択することができる。加えて、ユーザはできる限り全ての接続を同時に行い、トランスミッタ及びレシーバの双方の自動設定を始動することもできる。これは、不正確な接続を判断する上で非常に便利であると共に楽であり、不可能な接続を排除しそして他の可能な接続を見出した後に最良の出力を有する複数の選択された接続をユーザに提供する。
【００３２】
以上に言及したことは単なる本発明の好適実施例であり、それは本発明の請求項を限定するように用いられるべきでなく、本発明によって表明された本質から逸脱しない同等の効果或は修正のいかなる変更も特許請求の範囲に記載されたものに限定されるべきである。
【図面の簡単な説明】
【００３３】
【図１】図１は先行技術の概略例である。
【図２】図２は先行技術の一つの実例チャートである。
【図３】図３は先行技術の他の実例チャートである。
【図４−Ａ】本発明の一好適実施例の実例チャートを概略的に示している。
【図４−Ｂ】本発明の一好適実施例の実例チャートを概略的に示している。
【図４−Ｃ】本発明の一好適実施例の実例チャートを概略的に示している。
【図５−Ａ】本発明の他の好適実施例の実例チャートを概略的に示している。
【図５−Ｂ】本発明の他の好適実施例の実例チャートを概略的に示している。
【図５−Ｃ】本発明の他の好適実施例の実例チャートを概略的に示している。
【図５−Ｄ】本発明の他の好適実施例の実例チャートを概略的に示している。
【図１】
2005050498.tif 000002
【図２】
2005050498.tif 000003
【図３】
2005050498.tif 000004
【図４−Ａ】
2005050498.tif 000005
【図４−Ｂ】
2005050498.tif 000006
【図４−Ｃ】
2005050498.tif 000007
【図５−Ａ】
2005050498.tif 000008
【図５−Ｂ】
2005050498.tif 000009
【図５−Ｃ】
2005050498.tif 000010
【図５−Ｄ】
2005050498.tif 000011
【外国語明細書】
2005050498000001.pdf